(57)【要約】    【課題】  着用者の顔面を十分に保護でき、しかも、着用感の良好な頭部被覆体を提供することを課題とする。    【解決手段】  頭部を覆う頭部被覆部と、該頭部被覆部の下方側に取り付けられ着用者の少なくとも首後方面及び側面を覆い得る首被覆部とが備えられ、該首被覆部は、両首側面を覆う部分から前方に延在する一対の前方延在部をさらに有し、両前方延在部は、前方側を互いに係合することにより視野確保用の開口部を形成しつつ着用者の顔面を覆うように形成されてなる頭部被覆体であって、前記前方延在部の両前方端縁部には、上下方向に延在する補強用のテープ状部材がそれぞれ備えられ、前記前方延在部は、前記テープ状部材の少なくとも一部が互いに重なり合った状態で係合するように構成されていることを特徴とする頭部被覆体を提供する。【選択図】  図１
2010174402.tif 000002
【特許請求の範囲】
【請求項１】
頭部を覆う頭部被覆部と、該頭部被覆部の下方側に取り付けられ着用者の少なくとも首後方面及び側面を覆い得る首被覆部とが備えられ、該首被覆部は、両首側面を覆う部分から前方に延在する一対の前方延在部をさらに有し、両前方延在部は、前方側を互いに係合することにより視野確保用の開口部を形成しつつ着用者の顔面を覆うように形成されてなる頭部被覆体であって、
前記前方延在部の両前方端縁部には、上下方向に延在する補強用のテープ状部材がそれぞれ備えられ、前記前方延在部は、前記テープ状部材の少なくとも一部が互いに重なり合った状態で係合するように構成されていることを特徴とする頭部被覆体。
【請求項２】
前記前方延在部は、下端部よりも上端部の方が重なり合う部分が大きく且つ前記テープ状部材が少なくとも下端部で重なり合い上端部で離反した状態にて、互いに係合するように構成されている請求項１記載の頭部被覆体。
【請求項３】
前記前方延在部は、下端部よりも上端部の方が重なり合う部分が大きく且つ前記テープ状部材が少なくとも下端部で重なり合い上端部で離反した状態であって前記テープ状部材の離反程度が異なる複数の状態にて、互いに係合するように構成されている請求項１記載の頭部被覆体。
【発明の詳細な説明】
【技術分野】
【０００１】
本発明は、帽子又はフードなどの頭部被覆体に関する。
【背景技術】
【０００２】
従来、頭部被覆体は、例えば、帽子などの形態をとって着用者の日焼けを防いだり、日光からの熱を遮断したりする目的で用いられている。また、例えば、フードなどの形態をとって防寒などの目的で用いられている。
【０００３】
斯かる従来の頭部被覆体としては、例えば、着用者の首側面及び後方面を覆う首被覆部が備えられた帽子が提案されている（特許文献１）。しかしながら、斯かる帽子は、例えば水面などで反射した日光による顔面の日焼け等を必ずしも防ぐことができない。
また、従来の頭部被覆体としては、例えば、着用者の頭部、首側面及び後方面を覆うように構成されたフードが知られている。しかしながら、斯かる帽子は、例えば顔面における防寒を必ずしも満足に成し得ない。
【０００４】
このように従来の頭部被覆体においては、必ずしも満足に顔面を保護することができないという問題がある。そこで、首被覆部の両首側面を覆う部分から前方に延在する一対の前方延在部が備えられ、着用者の顔面を保護できるように構成された頭部被覆体が考えられる。
【０００５】
しかしながら、この種の頭部被覆体は、首被覆部を構成する布状体の柔軟性ゆえに、口や頬等の顔面に首被覆部が接触しやすく、着用者に不快感を与えやすいという問題を有し得る。
【０００６】
それゆえ、頭部被覆体としては、着用者の顔面を日光や寒さなどから十分に保護でき、しかも着用感の良好なものが要望されている。
【先行技術文献】
【特許文献】
【０００７】
【特許文献１】特開２００６−０９７２０９号公報
【発明の概要】
【発明が解決しようとする課題】
【０００８】
本発明は、上記の問題点、要望点等に鑑み、着用者の顔面を十分に保護でき、しかも、着用感の良好な頭部被覆体を提供することを課題とする。
【課題を解決するための手段】
【０００９】
上記課題を解決すべく、本発明に係る頭部被覆体は、頭部を覆う頭部被覆部と、該頭部被覆部の下方側に取り付けられ着用者の少なくとも首後方面及び側面を覆い得る首被覆部とが備えられ、該首被覆部は、両首側面を覆う部分から前方に延在する一対の前方延在部をさらに有し、両前方延在部は、前方側を互いに係合することにより視野確保用の開口部を形成しつつ着用者の顔面を覆うように形成されてなる頭部被覆体であって、
前記前方延在部の両前方端縁部には、上下方向に延在する補強用のテープ状部材がそれぞれ備えられ、前記前方延在部は、前記テープ状部材の少なくとも一部が互いに重なり合った状態で係合するように構成されていることを特徴とするものである。
【００１０】
上記構成からなる頭部被覆体によれば、前記前方延在部を互いに係合させることにより、着用者の顔面を覆うことができる。
また、前記テープ状部材の少なくとも一部が互いに重なり合った状態で前方延在部を係合することにより、テープ状部材の重なり合った部分のコシが増大し、首被覆部が屈曲しにくいものとなる。従って、前方延在部の意に反する屈曲に起因して、着用者の口等に前方延在部が接触する虞も低減し、着用感が優れたものとなる。
【００１１】
本発明に係る頭部被覆体は、前記前方延在部は、下端部よりも上端部の方が重なり合う部分が大きく且つ前記テープ状部材が少なくとも下端部で重なり合い上端部で離反した状態にて、互いに係合するように構成されていることが好ましい。
テープ状部材が全て重なり合った状態では、その重なりにより生じたコシによって、顔を下に向けた際に、前方延在部の上端部が顔面に突き当たる虞があるが、斯かる構成によれば、前方延在部の下端部に於いてはコシを維持しつつも、上端部に於いてはテープ状部材が離反していることから、比較的前方延在部のコシが少なく柔軟になって屈曲し、上述の如く上端部が顔面に突き当たる虞が低減される。
従って、より一層着用感が良好なものとなる。
【００１２】
前記前方延在部は、下端部よりも上端部の方が重なり合う部分が大きく且つ前記テープ状部材が少なくとも下端部で重なり合い上端部で離反した状態であって前記テープ状部材の離反程度が異なる複数の状態にて、互いに係合するように構成されていることが好ましい。
【発明の効果】
【００１３】
以上のように、本発明の頭部被覆体は、着用者の顔面を十分に保護でき、しかも、着用感が良好であるという効果を奏する。
【図面の簡単な説明】
【００１４】
【図１】本実施形態の帽子における第１状態を示す斜視図。
【図２】本実施形態の帽子における第２状態を示す斜視図。
【図３】第２状態における前方延在部の一部を模式的に表した模式図。
【図４】第２状態における前方延在部の一部を模式的に表した正面図。
【発明を実施するための形態】
【００１５】
以下、本発明に係る頭部被覆体の一実施形態について、頭部被覆体が帽子１である場合を例として、図面を参照しつつ説明する。図１は、前記帽子が着用されている状態を斜め前方から見た斜視図である。
【００１６】
本実施形態の頭部被覆体は、図１に示すように、頭部を覆う頭部被覆部２と、該頭部被覆部２の下方側に取り付けられ着用者の少なくとも首後方面及び側面を覆い得る首被覆部としてのスカート部７とが備えられた帽子１である。
【００１７】
前記スカート部７は、両首側面を覆う部分から前方に延在する一対の前方延在部４をさらに有し、両前方延在部４は、前方側を互いに係合することにより視野確保用の開口部８を形成しつつ着用者の顔面を覆うように形成されている。
また、前記前方延在部４の両前方端縁部には、上下方向に延在する補強用のテープ状部材６がそれぞれ備えられ、両前方延在部４は、前記テープ状部材の少なくとも一部が互いに重なり合った状態で、互いに係合するように構成されている。
詳しくは、左右の前記テープ状部材６には、着用者の口の前方で左右の前記テープ状部材６を重なり合わせて係合させるべく、互いに係止及び解離可能な複数の第１係止部５ａが形成されている。前記テープ状部材６は、前記前方延在部４の前方端縁部に備えられていることから、前記各第１係止部５ａも前記前方延在部４の前方端縁部に沿って形成されている。
【００１８】
前記帽子１は、前記前方延在部４が顔面を覆っている状態においては、図１に示すように、前記第１係止部５ａを介して両前方延在部４の前方端縁部がその上端から下端にわたって重ね合わされて係合された第１状態を取りうるようになっている。具体的には、前記帽子１においては、図１に示すように、左右のテープ状部材６が上端から下端にわたって全て重ね合わされた状態で前記第１係止部５ａが係止することにより、左右の前方延在部４が係合され得るようになっている。
【００１９】
前記頭部被覆部２は、着用者の頭部を覆うことができるように中空の半球状に形成されている。頭部被覆部２に用いられる布材の材質としては、直射日光が頭部に当たることを防ぎ得るものであれば特に限定されず、通常の帽子において用いられているものが挙げられる。
【００２０】
前記頭部被覆部２には、前方側の端縁から外方側へ突出するツバ３が取り付けられている。該ツバ３は、主に上方からの日光を遮り、着用者の顔面に上方から直射日光が当たることを防ぎ得るものである。
【００２１】
前記スカート部７は、布状体により構成され、頭部被覆部２に取り付けられることにより、少なくとも着用者の首後方面及び側面を覆い、また、頭部から肩部にかけて着用者を覆い得るものである。
また、前記スカート部７は、頭部被覆部２と着脱自在になるように面ファスナ、ボタン、鉤ホック（図示せず）などにより頭部被覆部２の後方側下端部に取り付けられている。
【００２２】
前記スカート部７は、着用者の動きに応じて迅速にその立体形状が変わり得ることが好ましいという点で、通常、比較的柔らかい材質のもので形成されている。前記スカート部７を構成している布状体の材質は、特に限定されるものでなく、斯かる材質としては、例えばメッシュ生地、織り生地、編み生地などが挙げられ、日光を適度に遮断できると同時に通気性に優れているという点でメッシュ生地が好ましい。
【００２３】
前記スカート部７を構成している布状体としては、防蚊加工布、又はＵＶカット加工布などが用いられ得る。
【００２４】
前記前方延在部４は、スカート部７の両首側面を覆う部分と一体化されて頭部被覆部２の下方側に配されており、両前方延在部４の前方側を係合することにより着用時の視野が確保されるように開口部８を形成しつつ顔面の下方側を覆うものである。具体的には、前記前方延在部４は、両前方延在部４の前方側が係合された状態において、着用者の口、頬、又は顎、必要に応じて鼻を覆うものである。前方側が係合された前方延在部４により、着用者の顔面を十分に日光などから保護できる。
【００２５】
前記前方延在部４は、図１に示すように、顔面の左側を覆う左前方延在部４ａと顔面の右側を覆う右前方延在部４ｂとを有しており、両前方延在部４は、その前方端縁部に形成された第１係止部５ａを介して互いに係合され得る。また、該左前方延在部４ａと該右前方延在部４ｂとは、互いに全ての第１係止部５ａを解離させることにより左右に分離し得る。なお、前方延在部４は、第１係止部５ａの一部を解離させることによりその一部において両前方延在部を離反させることもできる。
【００２６】
前記テープ状部材６は、スカート部７の前方延在部４を補強すべく、前方延在部４の前方端縁部において上下方向に延在するように備えられている。
【００２７】
前記テープ状部材６は、前方延在部４の前方端縁部が係合された状態において重なり合っており、重なり合った状態においてコシを備え得る。詳しくは、重なり合ったテープ状部材６は、屈曲可能でありながら所定の形状を比較的保ちやすいものとなっている。
【００２８】
前記テープ状部材６の大きさとしては、特に限定されず、通常、長さが１０ｃｍ〜３０ｃｍ、幅が０．５ｃｍ〜５ｃｍのものが好ましい。
【００２９】
前記テープ状部材６の材質としては、特に限定されず、例えば、ナイロン、ポリエステルなどが挙げられる。
【００３０】
前記テープ状部材６は、前記スカート部７を構成している布状体よりもコシのあるもので形成されていることが好ましい。斯かる構成により、スカート部７において立体形状がより維持されやすくなり得るという利点があり、特にテープ状部材６が備えられた前方延在部４において立体形状がより維持されやすくなり得るという利点がある。
詳しくは、上述したように、前記スカート部７を構成している布状体は、通常比較的柔らかい材質のもので形成され、着用者の動きに応じて迅速にその立体形状を変えることができるものの、一方で一定の立体形状を維持しにくいものである。これに対して、前記スカート部７を構成している布状体よりコシのあるテープ状部材６が備えられた前方延在部４は、重なり合ったテープ状部材６のコシによって所定の立体形状がより保持されやすくなっており、スカート部７がより安定的に側面や顔面を覆うことができる。しかも、前方延在部４の柔らかさに起因して前方延在部４が意図せず屈曲することが起こりにくくなり、着用者の鼻、口又は頬に対して前方延在部４が接触することがより抑制され得る。従って、前記帽子１は、着用感がより良好なものとなり得る。
【００３１】
前記テープ状部材６は、図１に示すように、左前方延在部４ａの前方端縁部及び右前方延在部４ｂの前方端縁部に沿ってそれぞれ１つ備えられている。このようにしてテープ状部材６が前方延在部４も双方に備えられているため、左前方延在部４ａ及び右前方延在部４ｂを係合して着用した場合、即ち、図１に示すように２つのテープ状部材６を全て重ね合わせた状態で着用した場合において、着用者の口などを覆っている前方延在部４のコシが高まり、前方延在部４が口などに接触しにくくなり得る。
【００３２】
なお、前記テープ状部材６は、各前方延在部４ａの端縁から所定長さ離れた位置において前方延在部４に備えられていてもよい。
【００３３】
前記第１係止部５ａは、顔面の前方で両前方延在部４の前方端縁部を互いに係合及び分離させるべく、テープ状部材６において両前方延在部４の前方端縁部に沿って上下方向に複数形成されている。
【００３４】
前記第１係止部５ａは、前方延在部４を互いに係合及び分離可能とさせ得る面ファスナ、ボタン、ドットボタン、鉤ホックなどを用いて形成されている。これらは、複数種が組み合わされて用いられていてもよい。なかでも、第１係止部５ａを形成しているものとしては、着用したまま係止及び解離操作が容易である点、より確実に前方延在部４を係合させ得る点において、ドットボタンが好ましい。
【００３５】
前記第１係止部５ａは、対をなして係止するものであり、左右いずれかの前方延在部４に形成されているものが、他方の前方延在部４に形成されているものに対して係止できるように備えられている。なお、前記第１係止部５ａは、左右の前方延在部における第１係止部５ａのどちらが、面ファスナの雌雄、ボタン又はボタンホール、ドットボタンの雌雄、或いは、鉤又は受け金であってもよい。
【００３６】
前記帽子１においては、図２に示すように両前方延在部４は、下端部よりも上端部の方が重なり合う部分が大きく且つ少なくとも下端部で前記テープ状部材６が重なり合い上端部で離反した状態にて、互いに係合した第２状態を取りうる。
【００３７】
前記帽子１においては、図１及び図２に示すように、第１係止部５ａに係止し得る第２係止部５ｂが前方延在部４の上端部に沿って形成されている。これにより、一方の前方延在部４の上端部に形成された第１係止部５ａが、他方の前方延在部４の上端部に形成された第２係止部５ｂに係止し得る。
具体的には、前記第２係止部５ｂは、両テープ状部材６の上端部を離反した状態で固定させるべく、前方延在部４の上端部であって且つテープ状部材６よりも後方側に複数形成されている。よって、左右の前記テープ状部材６は、図２に示すように、両前方延在部４の上端部が重なり合って第１係止部５ａと第２係止部５ｂとが係止することにより、下方側では第１係止部を介して重なり合って係合し上方側では離反した第２状態となり得る。
【００３８】
なお、本実施形態では、図２に示すように、一方の前方延在部４に形成された第２係止部５ｂと他方の前方延在部４に形成された第２係止部５ｂとも係止し得る。
【００３９】
前記帽子１においては、第２状態とすることにより、次のような利点がある。例えば、前記第１状態において、着用者が下方を見るべく首を前傾した場合、胸部に当接したテープ状部材６の下方端を基点としてテープ状部材６を相対的に上方へ移動させる力がはたらき、テープ状部材６の上端部が着用者の鼻、口又は頬などに突き当たり、着用者が痛みなどの不快感を得る可能性があるところ、前記第２状態であれば、テープ状部材６が上端部において離反していることから、前方延在部４の上端部側のコシが比較的少なくなって柔軟に屈曲し、上述の如く上端部が顔面に突き当たる虞が低減される。
即ち、前記第１状態においては、重ね合わされたテープ状部材６のコシに起因して前方延在部４の立体形状が保持されやすくなっているものの、着用者が下方を向いた場合などにおいては、胸部などの着用者の一部に当接したテープ状部材６の下端を基点として、テープ状部材６の上端部が着用者の鼻、口又は頬などに突き当たり、そのコシゆえに着用者が下方を向いた力の反動力が直接的に着用者の鼻、口又は頬などに伝わり得る。このように、前記第１状態においては、重ね合わされたテープ状部材６のコシに起因して着用者が痛みなどの不快感を受け得る。
一方、前記第２状態においては、着用者が下方を向いてテープ状部材６の上端部が着用者の鼻や口に当接した場合であっても、テープ状部材６が上端部において離反していることから、前方延在部４の上端部側のコシが比較的少なく、前方延在部４が柔軟に屈曲し得る。従って、着用者は、コシを備えたテープ状部材６の上端部が顔面の一部に直接的に当接することによる不快感を受けにくくなり得る。
【００４０】
ここで、前記第２状態であることの作用について、図３を参照しながらさらに詳しく説明する。
【００４１】
図３（ａ）は、第２状態における第１係止部５ａ、第２係止部５ｂ、左前方延在部４ａ、右前方延在部４ｂ、及びテープ状部材６の正面図を模式的に表したものであり、図３（ｂ）はそれらを斜め上方から見た模式的な斜視図である。
【００４２】
第２状態においては、前記テープ状部材６が下端部で重なり合い上端部で離反した状態で固定されている。即ち、第２状態においては、図３に示すように、左右いずれか一方の前方延在部４の上端部に形成されている第２係止部５ｂに、もう一方の前方延在部４に形成されている第１係止部５ａ（具体的には、最も上方側に形成されている第１係止部５ａ）を係止させることにより、テープ状部材６が上端部で離反した状態で固定されている。
斯かる状態で、前方延在部４を下方から上方へ動かす力（図３において点線矢印で表示）が前方延在部４の下端部から加わると、その力が前方延在部４を介して上端部へ伝わる。この上端部の上方に着用者の鼻などがある場合、前方延在部４の上端部が鼻などに当接し得る。ところが、前方延在部４は、テープ状部材６が上端部で離反した状態にあることにより、テープ状部材６が重なっている状態よりもコシが少なくなっている。
従って、第２状態においては、離反したテープ状部材６に起因して、前方延在部４が比較的小さい力によって屈曲しやすくなっており、前方延在部４の上端部が鼻、口又は頬などに当接した際の力は、前方延在部４の屈曲によって弱められ得る。即ち、前方延在部４の上端部が着用者の顔面に当接した際の力は、第２状態において第１状態よりも小さくなり得る。
よって、着用者は、第２状態の方が第１状態の場合よりも、前方延在部４の上端部が顔面に突き当たることによる不快感を受けにくくなる。
【００４３】
前記前方延在部４は、下端部よりも上端部の方が重なり合う部分が大きく且つ前記テープ状部材６が少なくとも下端部で重なり合い上端部で離反した状態であって前記テープ状部材６の離反程度が異なる複数の状態にて、互いに係合するように構成されている。
即ち、前記前方延在部４は、第２状態にてその重なり合う部分の大きさを調整しうるように、図３に示す重なり合う部分が比較的大きい状態と、図４に示す重なり合う部分が比較的小さい状態とで、互いに係合するように構成されている。具体的には、両前方延在部４には、前記第１係止部５ａに係止しうる前記第２係止部５ｂがそれぞれ上端部に沿って後方側に２カ所備えられており、第１係止部５ａと係止する第２係止部５ｂを選択することにより、重なり合う部分が比較的大なる第２状態（テープ状部材６の離反量が大なる第２状態）と比較的小なる第２状態（テープ状部材６の離反量が小なる第２状態）とを選択しうるようになっている。
【００４４】
本実施形態の帽子１に於いては、テープ状部材６の離反程度が異なる複数の状態を適宜選択することにより、前方延在部４の下端部に於けるコシを維持しつつも、上端部側を顔面に適度に近づけることができ、着用感が良好でありつつも、顔面の保護性能に優れたものとなり得る。
即ち、第２状態においては、両前方延在部４の上端部の重なり合う部分の大きさに応じて、両前方延在部４を係合した際における筒状のスカート部７の内径が変わる。具体的には、両前方延在部４の上端部の重なり合う部分が大きくなると筒状のスカート部７の内側が縮径されることとなり、前方延在部４の上端部が顔面側へ近づくこととなる。
従って、最適な上端部の重なり具合の第２状態を選択することにより、前方延在部４の顔面への近接度合いを調整することができ、顔面保護性能に優れたものとしうる。
【００４５】
また、両前方延在部４の上端部の重なり合う部分が比較的大なる第２状態を選択することにより、前方延在部４の上端部が顔面に強く突き当たる虞をより低減できる。
即ち、左右の前方延在部４の上端部がより重なって前方延在部４の上端部が顔面側へ近づくことに伴い、テープ状部材６は、重なっている部分と離反している部分との境界部位を基点として、より左右方向及び前後方向に屈曲することとなる（例えば、図３（ａ）及び（ｂ）参照）。そして、斯かる境界部位においては、テープ状部材６のコシが屈曲によってより弱められている。この状態で、上述したように前方延在部４に上下方向の圧縮力が加わると、斯かる屈曲した部位を基点として、テープ状部材６がより小さい力で屈曲することとなり、その結果、前方延在部４の上端部が着用者の顔面に当接した際の力は弱められることとなる。
このように、左右の前方延在部４の上端部がより重なることにより、テープ状部材６がより屈曲した状態となり、コシの弱さ故にテープ状部材６がより小さい力で屈曲し、前方延在部４の上端部が顔面に強く突き当たる虞が低減され、着用感がより優れたものとなる。
【００４６】
また、前記テープ状部材６は、少なくとも１箇所で短手方向に切れ目があることが好ましい。テープ状部材６の一部に切れ目を入れることにより、重ね合わされたテープ状部材６は、その切れ目において屈曲しやすくなっており、上述したように例えば着用者が下方を見るべく首を前傾した場合における、重ね合わされたテープ状部材６のコシに由来した着用者に対する痛みなどの不快感を軽減することができる。
【００４７】
なお、本実施形態の頭部被覆体は、上記の如く構成されたが、本発明は上記構成に限定されず、本発明の意図する範囲において適宜設計変更可能である。
例えば、本実施形態の頭部被覆体としての帽子１は、前記係止部５が間隔を空けて点在するように形成されてなるものであったが、本発明に於いては、これに限定されず係止部が、例えば面ファスナなどにより連続的に形成されている態様であってもよい。
【００４８】
また、本実施形態の頭部被覆体は、帽子の形態をとるものであったが、本発明に於いては、頭部被覆体が上着と一体となったフードの形態をとるものであってもよい。
【符号の説明】
【００４９】
１・・・帽子（頭部被覆体）
２・・・頭部被覆部
３・・・ツバ
４・・・前方延在部
５ａ・・・第１係止部
５ｂ・・・第２係止部
６・・・テープ状部材
７・・・スカート部（首被覆部）
８・・・開口部
【図１】
2010174402.tif 000003
【図２】
2010174402.tif 000004
【図３】
2010174402.tif 000005
【図４】
2010174402.tif 000006